(57)【要約】【課題】スピーカ装置の高さを調整可能であるとともに、支持脚間の幅を調整することが可能であるスピーカ装置用支持脚を提供する。【解決手段】図４（Ａ）に示すように、筐体１０の背面には、ねじ穴５３が複数（同図の例では５つ）設けられている。図４（Ｂ）のように最も下方のねじ穴５３にねじ穴１０２を重ねてねじ止めすると、支持脚１１の高さが最も高くなり、かつ左右の支持脚１１間の幅が最も狭くなる。ここで、いったんねじを外し、図４（Ｃ）に示すように、支持脚１１を外側に回動させ、他のねじ穴５３にねじ穴１０２を重ねてねじ止めすると、支持脚１１の高さが低くなり、かつ左右の支持脚間の幅が広がる。したがって、支持脚１１間の幅を広くしたり、狭くしたりすることが可能になり、テレビの大きさに合わせて支持脚間の幅を調整することができるため、テレビ側の支持脚とスピーカ装置の支持脚が干渉しないように調整することが可能となる。【選択図】図４
2012239097.tif 000002
【特許請求の範囲】
【請求項１】
スピーカ装置の筐体に回動可能に接続され、前記スピーカ装置の放音面と直交する方向に回動軸を有する支点部材と、
前記支点部材に接続され、前記支点部材が回動することにより、前記スピーカ装置の放音面と平行な面で回動する脚部と、
前記脚部に接続され、前記スピーカ装置の放音面と直交する方向に厚みを有する支持部と、
を備えたスピーカ装置用支持脚。
【請求項２】
前記脚部は、前記支点部材との接続箇所とは別の位置において、前記スピーカ装置の筐体に接続されることを特徴とする請求項１に記載のスピーカ装置用支持脚。
【請求項３】
前記スピーカ装置は、筐体下辺が張り出した丸みを帯びた形状であって、
前記支持部は、前記スピーカ装置の筐体下辺の丸みに沿って回動することを特徴とする請求項１または請求項２に記載のスピーカ装置用支持脚。
【請求項４】
前記支持部は、前記スピーカ装置の放音面と直交する方向に軸を有する円柱形状であり、前記円柱側面が前記スピーカ装置の設置面と接することを特徴とする請求項１ないし請求項３のいずれかに記載のスピーカ装置用支持脚。
【請求項５】
前記支点部材、前記脚部、および前記支持部は、一体成型されてなり、
前記支点部材は、前記スピーカ装置の放音面と直交する方向に軸を有する円柱状突起であり、前記突起がスピーカ装置の筐体に設けられた孔部に挿入されることにより、前記筐体に回動可能に接続され、
前記脚部は、前記スピーカ装置の筐体にねじ止めされることを特徴とする請求項１ないし請求項４のいずれかに記載のスピーカ装置用支持脚。
【発明の詳細な説明】
【技術分野】
【０００１】
この発明は、スピーカ装置の高さを調整するスピーカ装置用支持脚に関するものである。
【背景技術】
【０００２】
近年、特許文献１に示すように、横長の筐体を備えたスピーカ装置を、テレビ画面の下方に設置することが多くなっている。このような横長の筐体を備えたスピーカ装置は、テレビとは別に、当該テレビの前方に設置されて使用される場合がある（以下、このようなスピーカ装置をバースピーカと呼ぶ）。
【０００３】
一般に、スピーカ装置等のオーディオ機器では、特許文献２に示すように、ねじ結合方式による高さ調整可能な支持脚が用いられている。上記のようなバースピーカであれば、ねじ結合方式の支持脚を左右両端付近に２つ接続すれば筐体を支持することが可能である。
【先行技術文献】
【特許文献】
【０００４】
【特許文献１】特開２００９−２６７９５６号公報
【特許文献２】特開２００７−３２７５６号公報
【発明の概要】
【発明が解決しようとする課題】
【０００５】
しかし、バースピーカは、テレビの前方、かつテレビの直近に設置されるため、テレビおよびバースピーカの大きさによっては、当該バースピーカの支持脚がテレビの支持脚と干渉する場合があった。特に、特許文献２のようなねじ結合方式の支持脚は、スピーカ装置の高さを調整することができても、支持脚間の幅を調整することができず、様々な大きさのテレビに対応することができなかった。
【０００６】
そこで、本発明は、スピーカ装置の高さを調整可能であるとともに、支持脚間の幅を調整することが可能であるスピーカ装置用支持脚を提供することを目的とする。
【課題を解決するための手段】
【０００７】
この発明のスピーカ装置用支持脚は、スピーカ装置の筐体に回動可能に接続され、前記スピーカ装置の放音面と直交する方向に回動軸を有する支点部材と、前記支点部材に接続され、前記支点部材が回動することにより、前記スピーカ装置の放音面と平行な面で回動する脚部と、前記脚部に接続され、前記スピーカ装置の放音面と直交する方向に厚みを有する支持部と、を備えている。
【０００８】
このように、脚部および支持部が、放音面と直交する方向に回動軸を有する支点部材の回動にともなって回動することにより、支持脚間の幅を広くしたり、狭くしたりすることが可能になる。例えば、筐体の外側へ向けて支持脚を回動させると、支持脚間の幅が広がる。したがって、テレビの大きさに合わせて支持脚間の幅を調整することができ、テレビの支持脚と干渉しないように調整することが可能となる。
【０００９】
なお、脚部は、前記支点部材との接続箇所とは別の位置において、前記スピーカ装置の筐体に接続されることが好ましい。例えば、ねじ等によりスピーカ装置に接続して支持脚を固定することで、より強固に固定することができる。
【００１０】
また、前記支持部は、前記スピーカ装置の筐体下辺に沿って回動することが好ましい。例えば、スピーカ装置が、円形状のスピーカユニットに沿うように丸みを帯びた筐体形状であれば、当該丸みを帯びた筐体に沿って支持部が回動することにより、外観上すっきりとしたものとなる。
【００１１】
さらに、支持部は、前記スピーカ装置の放音面と直交する方向に軸を有する円柱形状であり、前記円柱側面が前記スピーカ装置の設置面と接することが好ましい。円柱側面が設置面に接することで、どのような回動角でも常に同じ設置面積とすることができる。
【００１２】
なお、スピーカ装置用支持脚は、より具体的には、前記支点部材、前記脚部、および前記支持部は、一体成型されてなり、前記支点部材は、前記スピーカ装置の放音面と直交する方向に軸を有する円柱状突起であり、前記突起がスピーカ装置の筐体に設けられた孔部に挿入されることにより、前記筐体に回動可能に接続され、前記脚部は、前記スピーカ装置の筐体にねじ止めされることが好ましい。
【発明の効果】
【００１３】
この発明によれば、スピーカ装置の高さを調整可能であるとともに、支持脚間の幅を調整することが可能となる。
【図面の簡単な説明】
【００１４】
【図１】スピーカ装置の外観図である。
【図２】左側スピーカユニット付近の正面拡大図、および左側面拡大図である。
【図３】支持脚の部品図である。
【図４】左側スピーカユニット付近の背面拡大図である。
【図５】応用例に係る左側スピーカユニット付近の背面拡大図である。
【図６】応用例に係る左側スピーカユニット付近の背面拡大図である。
【発明を実施するための形態】
【００１５】
図１（Ａ）は本発明の実施形態に係るスピーカ装置の正面図、図１（Ｂ）は左側面図、図１（Ｃ）は背面図、図１（Ｄ）は上面図である。図１（Ｅ）は、スピーカ装置をテレビ前方に設置した場合の正面図である。
【００１６】
本実施形態では、スピーカ装置の正面方向（放音方向）をＹ方向、背面方向を−Ｙ方向とし、放音方向に沿って右方向をＸ方向、左方向を−Ｘ方向とする。また、上面方向をＺ方向、下面方向を−Ｚ方向とする。
【００１７】
本実施形態のスピーカ装置は、左右方向（Ｘ，−Ｘ方向）に長く、高さ方向（Ｚ，−Ｚ方向）に短い直方体形状の筐体１０を有するバースピーカである。筐体１０には、３つのスピーカユニット１２が設置されている。中央のスピーカユニット１２Ｃは、長方形状の振動板を備えたスピーカユニットであり、左右のスピーカユニット１２Ｌおよびスピーカユニット１２Ｒは、円状の振動板を備えたスピーカユニットである。ただし、本発明において中央のスピーカユニットの振動板が長方形状であることは必須ではない。
【００１８】
図２（Ａ）および図２（Ｂ）は、左側スピーカユニット１２Ｌ付近の正面拡大図であり、図２（Ｃ）および図２（Ｄ）は、左側スピーカユニット１２Ｌ付近の左側面拡大図である。
【００１９】
筐体１０は、左右のスピーカユニット１２Ｌおよびスピーカユニット１２Ｒが設置される位置において、これらのスピーカユニットに沿うように筐体下辺が張り出して丸みを帯びた形状になっている。丸みを帯びた箇所には、支持脚１１が設けられ、この丸みに沿って支持脚１１が回動するようになっている。支持脚１１は、左右２カ所設けられ、スピーカ装置の筐体１０を２点で支持する。
【００２０】
図３は、支持脚１１の部品図であり、図４は、左側スピーカユニット付近の背面拡大図である。支持脚１１は、一体成型されてなり、支点部材１０１、脚部１０３、および支持部１０４からなる。支点部材１０１、脚部１０３、および支持部１０４は、一体成型とせずに個別の部品として接着剤等で接続するようにしてもよいが、一体成型とすることで剛性が高くなるため、一体成型とすることが望ましい。
【００２１】
支点部材１０１は、スピーカ装置の放音面（ＸＺ平面）と直交する方向（Ｙ，−Ｙ方向）に軸を有する円柱状突起であり、板状部材である脚部１０３の一面のうち、一方の端部付近に接続されている。この突起がスピーカ装置の筐体背面に設けられた孔部５２に挿入されることにより、支点部材が筐体に回動可能に接続される。なお、筐体側の孔部５２を円柱状突起とし、支点部材１０１を孔部とする態様であっても、支点部材１０１を筐体１０に回動可能に接続することができる。
【００２２】
また、脚部１０３は、ねじ穴１０２を有し、スピーカ装置の筐体背面に設けられたねじ穴５３とともにねじ止めされる。支持脚１１は、ねじ穴１０２でねじ止めされることにより、筐体１０に強固に固定される。ただし、本発明としてはねじ止めによる固定は必須ではなく、他の手法で固定するようにしてもよい。
【００２３】
また、脚部１０３の他方の端部には、支持部１０４が接続されている。支持部１０４は、スピーカ装置の放音面と直交する方向に厚みを有する形状であり、この例では、スピーカ装置の放音面と直交する方向（Ｙ，−Ｙ方向）に軸を有する円柱形状となっている。図１および図２の側面図に示したように、円柱の高さは筐体１０のＹ，−Ｙ方向の厚みとほぼ同じである。支持部１０４は、四角柱等の他の形状であってもよいが、円柱形状とすることで、円柱側面がスピーカ装置の設置面と接することになり、支持脚１１は、どのような回動角でも常に同じ面積で設置面と接することができる。また、丸みを帯びた筐体に沿って円柱形状の支持部１０４が回動するため、外観上もすっきりとしたものとなる。
【００２４】
なお、支持部１０４の円柱側面は、エラストマ等のゴムで覆われており、スピーカユニットの振動が設置面に伝わり難いようになっている。また、支持部１０４の円柱側面は、筐体１０には接触せず、ある程度離れた位置で回動することが望ましい。支持部１０４が筐体１０からある程度離れた位置で回動することで、スピーカユニットの振動が伝わり難くなり、音質への影響を抑えることができる。
【００２５】
図４（Ａ）に示すように、筐体１０の背面には、ねじ穴５３が複数（同図の例では５つ）設けられている。図４（Ｂ）に示すように最も下方のねじ穴５３にねじ穴１０２を重ねてねじ止めすると、筐体１０の高さが最も高くなり、かつ左右の支持脚１１間の幅が最も狭くなる。
【００２６】
ここで、いったんねじを外し、図４（Ｃ）に示すように、支持脚１１を外側に回動させ、他のねじ穴５３にねじ穴１０２を重ねてねじ止めすると、筐体１０の高さが低くなり、かつ左右の支持脚１１間の幅が広がる。したがって、支持脚１１間の幅を広くしたり、狭くしたりすることが可能になり、テレビの大きさに合わせて支持脚１１間の幅を調整することができるため、テレビ側の支持脚とスピーカ装置の支持脚が干渉しないように調整することが可能となる。例えば、図１（Ｅ）の例では、テレビの支持脚の幅が広く、図４（Ｂ）に示した支持脚１１間の幅が最も狭い態様では、当該支持脚１１とテレビの支持脚が干渉してしまうが、図４（Ｃ）のように、支持脚１１を筐体の外側に回動させた態様では、図１（Ｅ）のように支持脚１１とテレビの支持脚が干渉することがない。
【００２７】
また、さらに支持脚１１を外側に回動させ、最も外側のねじ穴５３にねじ穴１０２を重ねてねじ止めすると、支持脚１１ではなく、筐体１０の下面が設置面と接することになる。この場合、筐体１０の高さが最も低くなり、かつ図４（Ｂ）に示した支持脚間の幅と同じ幅で設置面と接することなる。ただし、筐体１０のうち、スピーカユニットが設置されている箇所の下面にはエラストマ等のゴム５１が設けられており、このゴム５１が設置面と接するため、スピーカユニットの振動が設置面に伝わり難いようになっている。
【００２８】
なお、筐体１０の背面には丸印５４が設けられており、脚部１０３の端部に設けられた凸部１０５がこれら丸印５４のいずれかと対向するようになるため、支持脚１１の回動角を把握することができるようになっている。本実施形態の例では、５カ所のねじ穴５３が設けられているため、丸印５４も５カ所設けられている。
【００２９】
このように、支持脚１１を筐体１０の下面に沿って回動させることで、支持脚１１間の幅を広くしたり狭くしたりすることができ、かつ、左右の筐体１０を水平にすることができる。一般的なねじ結合方式による高さ調整可能な支持脚は、左右のねじ込み量をまったく同一にしなければ支持脚の長さが均一にならず、筐体を水平に設置することができないが、本実施形態では、筐体１０の背面に設けられた複数のねじ穴５３に支持脚１１のねじ穴１０２を重ねてねじ止めするため、左右の支持脚の長さを容易に均一とすることができ、筐体１０を容易に水平に設置することができる。
【００３０】
なお、脚部１０３を伸縮可能にする、あるいは、図５（Ａ）のように筐体側の孔部５２および支持脚側のねじ穴１０２を複数設け、図５（Ｂ）のように支点部材１０１を異なる孔部５２に挿入して、ねじ止めするねじ穴１０２を変更することで高さを変更する態様も可能である。
【００３１】
また、図６（Ａ）のように筐体側の孔部５２およびねじ穴５３を複数設け、図６（Ｂ）のように支持脚１１の孔部５２を支点部材１０１に近い位置に設ける態様も可能である。この場合、上方向（Ｚ方向）の孔部５２に支点部材１０１を挿入してねじ止めすると、筐体１０の高さは低くなり、図６（Ｃ）のように下方向（−Ｚ方向）の孔部５２に支点部材１０１を挿入してねじ止めすると、筐体１０の高さは高くなる。
【符号の説明】
【００３２】
１０…筐体
１１…支持脚
１２Ｃ，１２Ｌ，１２Ｒ…スピーカユニット
５１…ゴム
５２…孔部
５３…ねじ穴
５４…丸印
１０１…支点部材
１０２…ねじ穴
１０３…脚部
１０４…支持部
１０５…凸部
【図１】
2012239097.tif 000003
【図２】
2012239097.tif 000004
【図３】
2012239097.tif 000005
【図４】
2012239097.tif 000006
【図５】
2012239097.tif 000007
【図６】
2012239097.tif 000008